(57)【要約】【課題】多方向スライドスイッチを中心として他のスイッチの操作部を多層に配置することにより、数種のスイッチの操作部を立体的に一箇所に集約し、スイッチ操作性の向上と、スイッチ設置パネル面のシンプル化を図れるようにした、スイッチ複合構造と複合スイッチを提供する。【解決手段】多方向スライドスイッチＳ１に、これを構成するベース１２、トップケース３１、スライダ２０、格子状ガイド部品１９等からなるガイド手段、金属ブラシ２５を上下方向に貫通する貫通部が設けられ、この貫通部を利用して、その多方向スライドスイッチＳ１の上方に、他のスイッチの操作部として上ジョグダイヤル３８が配置されるものとする。この場合は、上ジョグダイヤルに一体に上ジョグ軸４１が設けられ、該上ジョグ軸４１が貫通部に挿入され、該上ジョグ軸を介して上ジョグダイヤルが複合スイッチベース１上に設置されるとともに、上ジョグ軸を介して上ジョグダイヤルが回転可能に支持されるものとする。【選択図】図１
2006172802.tif 000002
【特許請求の範囲】
【請求項１】
多方向スライドスイッチの操作部と、その多方向スライドスイッチとは別に作動する他のスイッチの操作部とを、複合スイッチベース上に多層に配置したスイッチ複合構造であって、
上記多方向スライドスイッチは、
ベースと、
上記ベースを上記複合スイッチベース上に固定する固定手段と、
上記ベースの上面上方に配置されたトップケースと、
上記ベースと上記トップケースとの間に配置されたスライダと、
上記スライダを同一面上で多方向へスライド移動可能にガイドするガイド手段と、
上記操作部として上記スライダの外周に一体に設けられ、かつ、該スライダを多方向へスライド移動させる操作つまみ部と、
上記ベースの上面に形成された固定接点パターンと、
上記スライダに装着され上記固定接点パターンと対向するとともに、上記スライダと一体に多方向へ移動する金属ブラシと、
上記ベース、上記トップケース、上記スライダ、上記ガイド手段、上記金属ブラシを上下方向に貫通する貫通部と、を備え、
上記他のスイッチのうち、いずれか一つのスイッチの操作部は、
上記貫通部に挿入される軸を有し、かつ、この軸を介して上記複合スイッチベース上に設置されている
ことを特徴とするスイッチ複合構造。
【請求項２】
上記他のスイッチの操作部は、
上記多方向スライドスイッチの上方に配置された上ジョグダイヤルからなり、
上記上ジョグダイヤルは、
上記軸からなる上ジョグ軸を介して回転可能に支持されてなる
ことを特徴とする請求項１に記載のスイッチ複合構造。
【請求項３】
上記他のスイッチの操作部は、
上記多方向スライドスイッチの上方に配置された上ジョグダイヤルと、
上記多方向スライドスイッチの下方に配置された下ジョグダイヤルと、からなり、
上記上ジョグダイヤルは、
上記軸からなる上ジョグ軸を介して回転可能に支持されてなり、
上記下ジョグダイヤルは、
上記固定手段の外周を囲む筒状の下ジョグ軸を介して回転可能に支持されてなる
ことを特徴とする請求項１に記載のスイッチ複合構造。
【請求項４】
上記他のスイッチの操作部は、
上記多方向スライドスイッチの上方に配置されたプッシュボタンからなり、
上記プッシュボタンは、
上記軸からなるプッシュ軸を介してプッシュ可能に支持されてなる
ことを特徴とする請求項１に記載のスイッチ複合構造。
【請求項５】
上記軸は、筒状に形成され、
上記他のスイッチの操作部は、
上記多方向スライドスイッチの上方に配置された上ジョグダイヤルおよびプッシュボタンと、
上記多方向スライドスイッチの下方に配置された下ジョグダイヤルと、からなり、
上記上ジョグダイヤルは、
上記筒状の軸からなる上ジョグ軸を介して回転可能に支持されてなり、
上記プッシュボタンは、
上記筒状の軸の内側にスライド可能に挿入されたプッシュ軸を介してプッシュ可能に支持されてなり、
上記下ジョグダイヤルは、
上記固定手段の外周を囲む筒状の下ジョグ軸を介して回転可能に支持されてなる
ことを特徴とする請求項１に記載のスイッチ複合構造。
【請求項６】
上記他のスイッチの操作部は、
上記多方向スライドスイッチの上方に配置された掌載置台からなり、
上記掌載置台は、
上記軸を介して支持固定されてなる
ことを特徴とする請求項１に記載のスイッチ複合構造。
【請求項７】
上記上ジョグダイヤルを操作部として備える上ジョグスイッチは、
上記複合スイッチベース上に回転可能に設置され、かつ、上記上ジョグ軸の下端に連結され、該上ジョグ軸と一体に回転する上ジョグ回動板と、
上記上ジョグ回動板と上記複合スイッチベースとの間に設けた上ジョグ接点部とを備える
ことを特徴とする請求項２、３、５のいずれかに記載のスイッチ複合構造。
【請求項８】
上記下ジョグダイヤルを操作部として備える下ジョグスイッチは、
上記複合スイッチベース上に回転可能に設置され、かつ、上記下ジョグ軸の下端に連結され、該下ジョグ軸と一体に回転する下ジョグ回動板と、
上記下ジョグ回動板と上記複合スイッチベースとの間に設けた下ジョグ接点部とを備える
ことを特徴とする請求項３、５のいずれかに記載のスイッチ複合構造。
【請求項９】
多方向スライドスイッチと、この多方向スライドスイッチとは別に作動する他のスイッチとを、複合スイッチベース上に多層に配置した複合スイッチであって、
上記多方向スライドスイッチは、
ベースと、
上記ベースを上記複合スイッチベース上に固定する固定手段と、
上記ベースの上面上方に配置されたトップケースと、
上記ベースと上記トップケースとの間に配置されたスライダと、
上記スライダを同一面上で多方向へスライド移動可能にガイドするガイド手段と、
上記スライダの外周に一体に設けられ、かつ、該スライダを多方向へスライド移動させる操作つまみ部と、
上記ベースの上面に形成された固定接点パターンと、
上記スライダに装着され上記固定接点パターンと対向するとともに、上記スライダと一体に多方向へ移動する金属ブラシと、
上記ベース、上記トップケース、上記スライダ、上記ガイド手段、上記金属ブラシを上下方向に貫通する貫通部と、を備え、
上記他のスイッチのうち、いずれか一つのスイッチの操作部は、
上記貫通部に挿入される軸を有し、かつ、この軸を介して上記複合スイッチベース上に設置されている
ことを特徴とする複合スイッチ。
【請求項１０】
上記他のスイッチの操作部は、
上記多方向スライドスイッチの上方に配置された上ジョグダイヤルからなり、
上記上ジョグダイヤルは、
上記軸からなる上ジョグ軸を介して回転可能に支持されてなる
ことを特徴とする請求項９に記載の複合スイッチ。
【請求項１１】
上記他のスイッチの操作部は、
上記多方向スライドスイッチの上方に配置された上ジョグダイヤルと、
上記多方向スライドスイッチの下方に配置された下ジョグダイヤルと、からなり、
上記上ジョグダイヤルは、
上記軸からなる上ジョグ軸を介して回転可能に支持されてなり、
上記下ジョグダイヤルは、
上記固定手段の外周を囲む筒状の下ジョグ軸を介して回転可能に支持されてなる
ことを特徴とする請求項９に記載の複合スイッチ。
【請求項１２】
上記他のスイッチの操作部は、
上記多方向スライドスイッチの上方に配置されたプッシュボタンからなり、
上記プッシュボタンは、
上記軸からなるプッシュ軸を介してプッシュ可能に支持されてなる
ことを特徴とする請求項９に記載の複合スイッチ。
【請求項１３】
上記軸は、筒状に形成され、
上記他のスイッチの操作部は、
上記多方向スライドスイッチの上方に配置された上ジョグダイヤルおよびプッシュボタンと、
上記多方向スライドスイッチの下方に配置された下ジョグダイヤルと、からなり、
上記上ジョグダイヤルは、
上記軸からなる上ジョグ軸を介して回転可能に支持されてなり、
上記プッシュボタンは、
上記軸の内側中空部にスライド可能に挿入されたプッシュ軸を介してプッシュ可能に支持されてなり、
上記下ジョグダイヤルは、
上記固定手段の外周を囲む筒状の下ジョグ軸を介して回転可能に支持されてなる
ことを特徴とする請求項９に記載の複合スイッチ。
【請求項１４】
上記他のスイッチの操作部は、
上記多方向スライドスイッチの上方に配置された掌載置台からなり、
上記掌載置台は、
上記軸を介して支持固定されてなる
ことを特徴とする請求項９に記載の複合スイッチ。
【請求項１５】
上記上ジョグダイヤルを操作部として備える上ジョグスイッチは、
上記複合スイッチベース上に回転可能に設置され、かつ、上記上ジョグ軸の下端に連結され、該上ジョグ軸と一体に回転する上ジョグ回動板と、
上記上ジョグ回動板と上記複合スイッチベースとの間に設けた上ジョグ接点部とを備える
ことを特徴とする請求項１０、１１、１３のいずれかに記載の複合スイッチ。
【請求項１６】
上記下ジョグダイヤルを操作部として備える下ジョグスイッチは、
上記複合スイッチベース上に回転可能に設置され、かつ、上記下ジョグ軸の下端に連結され、該下ジョグ軸と一体に回転する下ジョグ回動板と、
上記下ジョグ回動板と上記複合スイッチベースとの間に設けた下ジョグ接点部とを備える
ことを特徴とする請求項１１、１３のいずれかに記載の複合スイッチ。
【発明の詳細な説明】
【技術分野】
【０００１】
本発明は、例えば、カーナビゲーションその他の車両搭載機器を操作するための操作スイッチ等として用いられる複合スイッチと、そのスイッチ複合構造に関し、特に、多方向スライドスイッチを中心として他のスイッチの操作部を多層に配置することにより、数種のスイッチの操作部を立体的に一箇所に集約し、スイッチ操作性の向上と、スイッチ設置パネル面のシンプル化を図れるようにしたものである。
【背景技術】
【０００２】
カーナビゲーション装置の普及に伴い、カーナビゲーション装置を標準装備した車輌が増えている。カーナビゲーション装置を標準装備する場合は、そのナビ操作のためのセンターコントロールスイッチがダッシュボード前面に一体に組み込まれる。
【０００３】
この種のセンターコントロールスイッチは、ナビ操作画面上のカーソルを操作するとき等に使用される８つの独立した８方向ボタンや決定ボタン等、多数のスイッチ操作部を有している。一方、ダッシュボード前面には、カーナビゲーション普及以前より存在する車輌エアコンの操作スイッチ等、各種スイッチの操作部も一体に組み込まれている。このため、カーナビゲーション装置を標準装備とした場合は、ダッシュボード前面に平面的に配置されるスイッチ操作部の数が必然的に多くなり、ダッシュボード前面が煩雑なものとなるとともに、スイッチ操作性が低下する。
【０００４】
かかる問題を解決する手段として、特許文献１に記載の多方向スライドスイッチの導入が考えられる。
【０００５】
同文献の多方向スライドスイッチは、同一面上で多方向にスライド移動可能な１つのスライダを８方向にスライド操作するだけで、上記８つの独立した８方向ボタンと同等のスイッチ操作を行えるものである。このため、同文献の多方向スライドスイッチの導入によりダッシュボード前面に平面的に配置されるスイッチ操作部の数は減る。
【０００６】
しかし、多方向スライドスイッチの構造上、操作上、同文献の多方向スライドスイッチの導入によるスイッチ操作部の数の減少には限界があり、同文献の多方向スライドスイッチを導入するだけでは今後予想されるスイッチ操作部の増加に対して十分に対応することができない可能性がある。多方向スライドスイッチの周囲に他のスイッチ操作部が新規に増設されることが予想される。そうなると、再び、ダッシュボード前面に平面的に配置されるスイッチ操作部の数が増加し、ダッシュボード前面が煩雑なものとなり、スイッチ操作性が低下する等の問題点が発生し得る。
【０００７】
【特許文献１】特開２００３−５９３７４号公報
【発明の開示】
【発明が解決しようとする課題】
【０００８】
本発明は上記問題点を解決するためになされたものであり、その目的は、多方向スライドスイッチを中心として他のスイッチの操作部を多層に配置することにより、数種のスイッチの操作部を立体的に一箇所に集約し、スイッチ操作性の向上と、スイッチ設置パネル面のシンプル化を図れるようにした、スイッチ複合構造と複合スイッチを提供することである。
【課題を解決するための手段】
【０００９】
上記目的を達成するために、本発明に係るスイッチ複合構造は、多方向スライドスイッチの操作部と、その多方向スライドスイッチとは別に作動する他のスイッチの操作部とを、複合スイッチベース上に多層に配置したスイッチ複合構造であって、上記多方向スライドスイッチは、ベースと、上記ベースを上記複合スイッチベース上に固定する固定手段と、上記ベースの上面上方に配置されたトップケースと、上記ベースと上記トップケースとの間に配置されたスライダと、上記スライダを同一面上で多方向へスライド移動可能にガイドするガイド手段と、上記操作部として上記スライダの外周に一体に設けられ、かつ、該スライダを多方向へスライド移動させる操作つまみ部と、上記ベースの上面に形成された固定接点パターンと、上記スライダに装着され上記固定接点パターンと対向するとともに、上記スライダと一体に多方向へ移動する金属ブラシと、上記ベース、上記トップケース、上記スライダ、上記ガイド手段、上記金属ブラシを上下方向に貫通する貫通部と、を備え、上記他のスイッチのうち、いずれか一つのスイッチの操作部は、上記貫通部に挿入される軸を有し、かつ、この軸を介して上記複合スイッチベース上に設置されていることを特徴とする。
【００１０】
上記本発明に係るスイッチ複合構造において、上記他のスイッチの操作部は、上記多方向スライドスイッチの上方に配置された上ジョグダイヤルからなり、上記上ジョグダイヤルは、上記軸からなる上ジョグ軸を介して回転可能に支持されてなるものとしてよい。
【００１１】
上記本発明に係るスイッチ複合構造において、上記他のスイッチの操作部は、上記多方向スライドスイッチの上方に配置された上ジョグダイヤルと、上記多方向スライドスイッチの下方に配置された下ジョグダイヤルと、からなり、上記上ジョグダイヤルは、上記軸からなる上ジョグ軸を介して回転可能に支持されてなり、上記下ジョグダイヤルは、上記固定手段の外周を囲む筒状の下ジョグ軸を介して回転可能に支持されてなるものとしてよい。
【００１２】
上記本発明に係るスイッチ複合構造において、上記他のスイッチの操作部は、上記多方向スライドスイッチの上方に配置されたプッシュボタンからなり、上記プッシュボタンは、上記軸からなるプッシュ軸を介してプッシュ可能に支持されてなるものとしてよい。
【００１３】
上記本発明に係るスイッチ複合構造において、上記軸は、筒状に形成され、上記他のスイッチの操作部は、上記多方向スライドスイッチの上方に配置された上ジョグダイヤルおよびプッシュボタンと、上記多方向スライドスイッチの下方に配置された下ジョグダイヤルと、からなり、上記上ジョグダイヤルは、上記筒状の軸からなる上ジョグ軸を介して回転可能に支持されてなり、上記プッシュボタンは、上記筒状の軸の内側にスライド可能に挿入されたプッシュ軸を介してプッシュ可能に支持されてなり、上記下ジョグダイヤルは、上記固定手段の外周を囲む筒状の下ジョグ軸を介して回転可能に支持されてなるものとしてよい。
【００１４】
上記本発明に係るスイッチ複合構造において、上記他のスイッチの操作部は、上記多方向スライドスイッチの上方に配置された掌載置台からなり、上記掌載置台は、上記軸を介して支持固定されてなるものとしてよい。
【００１５】
上記本発明に係るスイッチ複合構造において、上記上ジョグダイヤルを操作部として備える上ジョグスイッチは、上記複合スイッチベース上に回転可能に設置され、かつ、上記上ジョグ軸の下端に連結され、該上ジョグ軸と一体に回転する上ジョグ回動板と、上記上ジョグ回動板と上記複合スイッチベースとの間に設けた上ジョグ接点部とを備えるものとしてよい。
【００１６】
上記本発明に係るスイッチ複合構造において、上記下ジョグダイヤルを操作部として備える下ジョグスイッチは、上記複合スイッチベース上に回転可能に設置され、かつ、上記下ジョグ軸の下端に連結され、該下ジョグ軸と一体に回転する下ジョグ回動板と、上記下ジョグ回動板と上記複合スイッチベースとの間に設けた下ジョグ接点部とを備えるものとしてよい。
【００１７】
また、上記目的を達成するために、本発明に係る複合スイッチは、多方向スライドスイッチと、この多方向スライドスイッチとは別に作動する他のスイッチとを、複合スイッチベース上に多層に配置した複合スイッチであって、上記多方向スライドスイッチは、ベースと、上記ベースを上記複合スイッチベース上に固定する固定手段と、上記ベースの上面上方に配置されたトップケースと、上記ベースと上記トップケースとの間に配置されたスライダと、上記スライダを同一面上で多方向へスライド移動可能にガイドするガイド手段と、上記スライダの外周に一体に設けられ、かつ、該スライダを多方向へスライド移動させる操作つまみ部と、上記ベースの上面に形成された固定接点パターンと、上記スライダに装着され上記固定接点パターンと対向するとともに、上記スライダと一体に多方向へ移動する金属ブラシと、上記ベース、上記トップケース、上記スライダ、上記ガイド手段、上記金属ブラシを上下方向に貫通する貫通部と、を備え、上記他のスイッチのうち、いずれか一つのスイッチの操作部は、上記貫通部に挿入される軸を有し、かつ、この軸を介して上記複合スイッチベース上に設置されていることを特徴とする。
【００１８】
上記本発明に係る複合スイッチにおいて、上記他のスイッチの操作部は、上記多方向スライドスイッチの上方に配置された上ジョグダイヤルからなり、上記上ジョグダイヤルは、上記軸からなる上ジョグ軸を介して回転可能に支持されてなるものとしてよい。
【００１９】
上記本発明に係る複合スイッチにおいて、上記他のスイッチの操作部は、上記多方向スライドスイッチの上方に配置された上ジョグダイヤルと、上記多方向スライドスイッチの下方に配置された下ジョグダイヤルと、からなり、上記上ジョグダイヤルは、上記軸からなる上ジョグ軸を介して回転可能に支持されてなり、上記下ジョグダイヤルは、上記固定手段の外周を囲む筒状の下ジョグ軸を介して回転可能に支持されてなるものとしてよい。
【００２０】
上記本発明に係る複合スイッチにおいて、上記他のスイッチの操作部は、上記多方向スライドスイッチの上方に配置されたプッシュボタンからなり、上記プッシュボタンは、上記軸からなるプッシュ軸を介してプッシュ可能に支持されてなるものとしてよい。
【００２１】
上記本発明に係る複合スイッチにおいて、上記軸は、筒状に形成され、上記他のスイッチの操作部は、上記多方向スライドスイッチの上方に配置された上ジョグダイヤルおよびプッシュボタンと、上記多方向スライドスイッチの下方に配置された下ジョグダイヤルと、からなり、上記上ジョグダイヤルは、上記筒状の軸からなる上ジョグ軸を介して回転可能に支持されてなり、上記プッシュボタンは、上記筒状の軸の内側にスライド可能に挿入されたプッシュ軸を介してプッシュ可能に支持されてなり、上記下ジョグダイヤルは、上記固定手段の外周を囲む筒状の下ジョグ軸を介して回転可能に支持されてなるものとしてよい。
【００２２】
上記本発明に係る複合スイッチにおいて、上記他のスイッチの操作部は、上記多方向スライドスイッチの上方に配置された掌載置台からなり、上記掌載置台は、上記軸を介して支持固定されてなるものとしてよい。
【００２３】
上記本発明に係る複合スイッチにおいて、上記上ジョグダイヤルを操作部として備える上ジョグスイッチは、上記複合スイッチベース上に回転可能に設置され、かつ、上記上ジョグ軸の下端に連結され、該上ジョグ軸と一体に回転する上ジョグ回動板と、上記上ジョグ回動板と上記複合スイッチベースとの間に設けた上ジョグ接点部とを備えるものとしてよい。
【００２４】
上記本発明に係る複合スイッチにおいて、上記下ジョグダイヤルを操作部として備える下ジョグスイッチは、上記複合スイッチベース上に回転可能に設置され、かつ、上記下ジョグ軸の下端に連結され、該下ジョグ軸と一体に回転する下ジョグ回動板と、上記下ジョグ回動板と上記複合スイッチベースとの間に設けた下ジョグ接点部とを備えるものとしてよい。
【発明の効果】
【００２５】
本発明にあっては、上記の如く、多方向スライドスイッチに、そのベース、トップケース、スライダ、ガイド手段、金属ブラシを上下方向に貫通する貫通部が設けられ、この貫通部を利用して、その多方向スライドスイッチの上方に、他のスイッチの操作部が配置される構造を採用したものである。このため、多方向スライドスイッチを中心として、その多方向スライドスイッチとは別に作動する他のスイッチの操作部を立体的に一箇所に集約することができるから、スイッチ設置パネル面、例えば車輌のダッシュボード前面に平面的に配置されるスイッチ操作部の数を減らすことができ、スイッチ操作性の向上と、ダッシュボード前面のようなスイッチ設置パネル面のシンプル化を図れる等の作用効果を奏する。
【発明を実施するための最良の形態】
【００２６】
以下、本発明を実施するための最良の形態について、添付した図面を参照しながら詳細に説明する。
【００２７】
図１は、本発明の一実施形態であるスイッチ複合構造と複合スイッチの説明用断面図である。同図の複合スイッチＳは、複合スイッチベース１上において、多方向スライドスイッチＳ１、上ジョグスイッチＳ２、下ジョグスイッチＳ３、プッシュスイッチＳ４という複数のスイッチ類を一つに複合したスイッチである。
【００２８】
図２は、図１の複合スイッチＳで用いられている上記複合スイッチベース１の断面図である。複合スイッチベース１の上面には内外一対の支持筒２、３が立設され、この内外一対の支持筒２、３は同芯に設けられている。
【００２９】
複合スイッチベース１の上面には、上ジョグスイッチＳ２の接点部（以下「上ジョグ接点部４」という）を構成する固定接点（以下「上ジョグ固定接点５」という）と、下ジョグスイッチの接点部（以下「下ジョグ接点部６」という）を構成する固定接点（以下「下ジョグ固定接点７」）が設けられている。
【００３０】
下ジョグ固定接点７は、図３に示したように、三重リング状のパターンからなる。上ジョグ固定接点５も、図示は省略するが、下ジョグ固定接点７より小径の三重リング状のパターンからなる。このようなリング状のパターンからなる下ジョグ固定接点５と上ジョグ固定接点７は、いずれも、複合スイッチベース１上面の上記支持筒２、３と同芯に配置されている。
【００３１】
さらに、複合スイッチベース１の上面には、プッシュスイッチＳ４の接点部（以下「プッシュ接点部８」という）を構成するプッシュ可動接点９が設けられている。このプッシュ可動接点９は、内側支持筒３の内側底部に収容されるとともに、弾性変形可能なドーム状に形成されている。また、このドーム状のプッシュ可動接点９は、そのドームの内側を下面として配置されている。
【００３２】
プッシュ可動接点９の下面下方にはプッシュ中央固定接点１０とプッシュ周辺固定接点１１が設けられている。プッシュ中央固定接点１０とプッシュ周辺固定接点１１は、いずれも、複合スイッチベース１に埋設されている。プッシュ中央固定接点１０はプッシュ可動接点９の下面中央と対向する位置に配置され、かつ、そのプッシュ可動接点９が上方から押圧されて下方に弾性変形したときにのみ、プッシュ中央固定接点１０と接触する。一方、プッシュ周辺固定接点１１は、プッシュ可動接点９の縁部と常時接触するように設けられている。
【００３３】
上記のようなドーム状のプッシュ可動接点９と、プッシュ中央固定接点１０と、プッシュ周辺固定接点１１からなる接点部が、図１の複合スイッチＳを構成するプッシュスイッチＳ４のプッシュ接点部８である。
【００３４】
図４は、図１の複合スイッチＳを構成する多方向スライドスイッチＳ１のベース１２の説明図である。このベース１２は固定手段を介して図２の複合スイッチベース１に一体に取り付け固定される。かかる固定手段については、本実施形態では、ベース１２の下面に係合爪１３を突出形成するとともに、上記複合スイッチベース１上の外側支持筒２の内面に係合凹部１４（図２参照）を形成し、この係合凹部１４に上記係合爪１３が引っ掛かることで、当該ベース１２が外側支持筒２の上端面にワンタッチで取り付け固定される構造を採用している。
【００３５】
上記ベース１２の上面には図５の固定接点パターン１５が一体に形成されている。この固定接点パターン１５は、全部で６つのベース固定接点部１５−１〜１５−６から構成されている。また、これら６つのベース固定接点部１５−１〜１５−６は、ベース１２上面の四方に分散して配置され、かつ、互いに電気的に独立している。
【００３６】
具体的には、上記６つのベース固定接点部１５−１〜１５−６のうち、第１と第２のベース固定接点部１５−１、１５−２は、図４（ａ）において、上下に並んで配置された一対の扇状金属片からなり、かつ、ベース１２上面の左上方に配置されている。第３と第４のベース固定接点部１５−３、１５−４は、同図（ａ）において、左右に並んで配置された一対の扇状金属片からなり、かつ、ベース１２上面の右上方に配置されている。第５のベース固定接点部１５−５は、ドーナツ状の金属片からなるとともに、同図（ａ）において、ベース１２上面の左下方に配置されている。第６のベース固定接点部１５−６は、第５の固定接点部１５−５と同径のドーナツ状の金属片からなり、かつ、同図（ａ）において、ベース１２上面の右下方に配置されている。
【００３７】
上記ベース１２には２つの横溝１６が形成され、これらの横溝１６は、互いに平行に設けられるとともに、図４（ａ）上、左右横方向に長く形成されている。また、上記ベース１２の上面にはその中央に筒状のボス部１７が突出形成され、さらに、このベース１２の中央には同ベース表裏面を貫通する穴１８が形成されている。
【００３８】
図６は、図１の複合スイッチＳを構成する多方向スライドスイッチＳ１のガイド部品１９の説明図である。ガイド部品１９は、縦と横にそれぞれ一対のバー１９−１、１９−２を格子状に一体成形したものである。具体的には、この格子状ガイド部品１９は、その縦に一対のバー（以下「一対の縦バー１９−１」という）が上段に位置し、この縦バー１９−１の下段に、横に一対のバー（以下「一対の横バー１９−２」という）が配置される構造となっている。
【００３９】
上記格子状ガイド部品１９は、図７に示したように、ベース１２上面にスライド可能に設置される。その設置形態は、格子状ガイド部品１９の一対の横バー１９−２が、それぞれ対応するベース１２上面の上記一対の横溝１６にスライド可能に挿入される形態となるものである。
【００４０】
図８は、図１に示す複合スイッチＳを構成する多方向スライドスイッチＳ１のスライダ２０の説明図である。スライダ２０の下面には一対の縦溝２１が形成されており、これら一対の縦溝２１は、互いに平行に形成され、かつ、上記ベース１２上面の横溝１６と直角に交差するように配置される。
【００４１】
また、このスライダ２０の中央にも同スライダ表裏面を貫通する穴２２が形成されている。さらに、スライダ２０の上面には４つの突起片２３−１〜２３−４が一体に形成されている。
【００４２】
上記のような４つの突起片２３−１〜２３−４は、スライダ２０中央の上記穴２２を中心として、互いに等間隔で環状に配置されている。また、これら４つの突起片のうち、２つの突起片２３−１、２３−３は図８上、上下縦方向に配置されており、残りの２つの突起片２３−２、２３−４は図８上、左右横方向に配置されている。なお、以下、上下縦方向に配置される突起片２３−１、２３−３のうち、上方のものを「上突起片２３−１」といい、下方のものを「下突起片２３−３」という。また、左右横方向に配置される突起片２３−２、２３−４のうち、右方向のものを「右突起片２３−２」といい、左方向のものを「左突起片２３−４」という。
【００４３】
図１に示したように、上記スライダ２０の外周には操作つまみ部２４が一体に取り付けられている。この操作つまみ部２４は、多方向スライドスイッチＳ１を操作するためのスイッチ操作部であり、スライダ２０を多方向へスライド移動させるスイッチ操作の際に使用される。
【００４４】
図９は、図１に示す複合スイッチＳの多方向スライドスイッチＳ１を構成する金属ブラシ２５の説明図である。金属ブラシ２５は、ベース１２上面のベース固定接点部１５−１〜１５−６と対向する４つのブラシ接点部２６−１〜２６−４と、これら４つのブラシ接点部２６−１〜２６−４を支持する支持枠２７とから構成されている。
【００４５】
上記構造の金属ブラシ２５は、図１０に示したように、スライダ２０の下面に一体に装着される。その装着構造として、本実施形態においては、スライダ２０下面に４つのピン２８（図８参照）を設ける一方、このピン２８に対応するピン挿入穴２９（図９参照）を金属ブラシ２５の支持枠２７に開設し、上記ピン２８をそのピン挿入穴２９に挿入固定することで、スライダ２０下面に金属ブラシ２５が一体に装着される構造を採っている。また、この装着構造において、金属ブラシ２５の支持枠２７の一部は、スライダ２０下面の縦溝２１の底面に形成された枠収容溝３０（図８参照）内に収容される。
【００４６】
上記のようなスライダ２０と金属ブラシ２５の一体品は、図１１に示したように、格子状ガイド部品１９上に設置される。その設置形態は、格子状ガイド部品１９の一対の縦バー１９−１が、それぞれ対応するスライダ２０下面の一対の縦溝２１にスライド可能に挿入される形態である。
【００４７】
本実施形態では、上記のような格子状ガイド部品１９、一対の横溝１６、一対の縦溝２１によりガイド手段が構成され、このガイド手段により、スライダ２０が同一面上で多方向へスライド移動可能にガイドされる。
【００４８】
図１において、スライダ２０に対しこれを上下縦方向（図１では紙面表裏方向、図１２では矢印イ、ロ方向）にスライド移動させる力が作用すると、このスライダ２０は、その下面の縦溝２１と格子状ガイド部品１９の縦バー１９−１でガイドされながら、その力の方向にスライド移動する。このときは、スライダ２０だけが独立して格子状ガイド部品１９の縦バー１９−１上を前記縦方向へスライド移動する。スライダ２０が前記縦方向にスライド移動するときは、格子状ガイド部品１９の横バー１９−２がベース１２上面の横溝１６に対して直角に移動しようとするため、その横溝１６と横バー１９−２がストッパとなって格子状ガイド部品１９全体の前記縦方向移動が抑制されるからである。
【００４９】
この一方、スライダ２０に対しこれを左右横方向（図１では紙面左右横方向、図１２では矢印ハ、ニ方向）にスライド移動させる力が作用すると、このスライダ２０は、その格子状ガイド部品１９と一体に、その力の方向にスライド移動する。スライダ２０が前記左右横方向へスライド移動するときは、そのスライダ２０下面の縦溝２１が格子状ガイド部品１９の縦バー１９−１に直角に当接するためである。
【００５０】
また、スライダ２０に対しこれを斜め方向（図１５の矢印ホ、ヘ、ト、チ方向）にスライド移動させる力が作用すると、スライダ２０は、前記斜め方向にスライド移動する。これは、前記斜め方向の力のうち、縦方向の力成分により、スライダ２０が上記原理で前記縦方向へスライド移動し、これと同時に、前記斜め方向の力のうち、横方向の力成分により、スライダ２０が上記原理で横方向へ移動し、このスライダ２０の横方向移動と縦方向移動が合成されるためである。
【００５１】
上記スライダ２０と一体に金属ブラシ２５が移動すると、その移動先で、いずれか２以上のブラシ接点部２６−１〜２６−４が、それぞれ対応する上記いずれか２以上のベース固定接点部１５−１〜１５−６に接触する。
【００５２】
図１２は、スライダ２０がベース１２中央に位置しているときの、ブラシ接点部とベース固定接点部との接触パターンの説明図である。同図のようにスライダ２０が位置する場合、４つのブラシ接点部２６−１〜２６−４は、いずれも、どのベース固定接点部１５−１〜１５−６にも接触しない。具体的には、第１のブラシ接点部２６−１は、第１と第２のベース固定接点部１５−１、１５−２間に設けた絶縁部に位置し、第２のブラシ接点部２６−２は、第３と第４のベース固定接点部１５−３、１５−４間に設けた絶縁部に位置する。第３のブラシ接点部２６−３は、第５のベース固定接点部１５−５の中央に設けた絶縁部に位置し、第４のブラシ接点部２６−４は、第６のベース固定接点部１５−６の中央に設けた絶縁部に位置する。
【００５３】
図１３は、スライダ２０が縦方向（矢印イ方向）に移動したときの、ブラシ接点部とベース固定接点部との接触パターンの説明図である。図１３のように、スライダ２０が移動したときは、第３および第４のブラシ接点部２６−３、２６−４が、それぞれ対応する第５および第６のベース固定接点部１５−５、１５−６に接触する。これと同時に、第１のブラシ接点部２６−１が第１のベース固定接点部１５−１に接触する。従って、この場合は、金属ブラシ２５を介して第１、第５、第６のベース固定接点部１５−１、１５−５、１５−６が導通する。
【００５４】
図１３において、スライダ２０が上記図１３の説明とは逆の方向（矢印ロ方向）に移動したときは、第３および第４のブラシ接点部２６−３、２６−４が同様に、それぞれ対応する第５及び第６のベース固定接点部１５−５、１５−６に接触する。これと同時に、第１のブラシ接点部２６−１が今度は第２のベース固定接点部１５−２に接触する。従って、この場合は、金属ブラシ２５を介して第２、第５、第６のベース固定接点部１５−２、１５−５、１５−６が導通する。
【００５５】
図１４は、スライダ２０が横方向（矢印ハ方向）に移動したときの、ブラシ接点部とベース固定接点部との接触パターンの説明図である。図１４のように、スライダ２０が移動したときは、第３および第４のブラシ接点部２６−３、２６−４が、それぞれ対応する第５および第６のベース固定接点部１５−５、１５−６に接触する。これと同時に、第２のブラシ接点部２６−２が第４のベース固定接点部１５−４に接触する。従って、この場合は、金属ブラシ２５を介して第４、第５、第６のベース固定接点部１５−４、１５−５、１５−６が導通する。
【００５６】
図１４において、スライダ２０が上記図１４の説明とは逆の方向（矢印ニ方向）に移動したときは、第３および第４のブラシ接点部２６−３、２６−４が同様に、それぞれ対応する第５および第６のベース固定接点部１５−５、１５−６に接触する。これと同時に、第２のブラシ接点部２６−２が今度は第３のベース固定接点部１５−３に接触する。従って、この場合は、金属ブラシ２５を介して第３、第５、第６のベース固定接点部１５−３、１５−５、１５−６が導通する。
【００５７】
また、図１５は、スライダ２０が斜め方向（矢印ホ方向）に移動したときの、ブラシ接点部とベース固定接点部との接触パターンの説明図である。この図１５のように、スライダ２０が移動したときは、第３および第４のブラシ接点部２６−３、２６−４が、それぞれ対応する第５および第６のベース固定接点部１５−５、１５−６に接触する。これと同時に、第１のブラシ接点部２６−１が第１のベース固定接点部１５−１に接触し、また、第２のブラシ接点部２６−２が第４のベース固定接点部１５−４に接触する。従って、この場合には、金属ブラシ２５を介して第１、第４、第５、第６のベース固定接点部１５−１、１５−４、１５−５、１５−６が導通する。
【００５８】
図１５において、スライダ２０が上記図１５の説明とは逆の方向（矢印へ方向）に移動したときは、第３および第４のブラシ接点部２６−３、２６−４が同様に、それぞれ対応する第５および第６のベース固定接点部１５−５、１５−６に接触する。これと同時に、第１のブラシ接点部２６−１が第２のベース固定接点部２６−２に接触し、また、第２のブラシ接点部２６−２が第３のベース固定接点部１５−３に接触する。従って、この場合は、金属ブラシ２５を介して第２、第３、第５、第６のベース固定接点部１５−２、１５−３、１５−５、１５−６が導通する。
【００５９】
図１２において、スライダ２０が同図の矢印ト方向（紙面左斜め上方向）に移動したときは、第３および第４のブラシ接点部２６−３、２６−４が、それぞれ対応する第５および第６のベース固定接点部１５−５、１５−６に接触する。これと同時に、第１のブラシ接点部２６−１が第１のベース固定接点部１５−１に接触し、また、第２のブラシ接点部２６−２が第３のベース固定接点部１５−３に接触する。従って、この場合は、金属ブラシ２５を介して第１、第３、第５、第６のベース固定接点部１５−１、１５−３、１５−５、１５−６が導通する。
【００６０】
図１２において、スライダ２０が同図の矢印チ方向（紙面左斜め上方向）に移動したときは、第３および第４のブラシ接点部２６−３、２６−４が、それぞれ対応する第５および第６のベース固定接点部１５−５、１５−６に接触する。これと同時に、第１のブラシ接点部２６−１が第２のベース固定接点部１５−２に接触し、また、第２のブラシ接点部２６−２が第４のベース固定接点部１５−４に接触する。従って、この場合は、金属ブラシ２５を介して第２、第４、第５、第６のベース固定接点部１５−２、１５−４、１５−５、１５−６が導通する。
【００６１】
図１６は、図１に示す複合スイッチＳの多方向スライドスイッチＳ１を構成するトップケース３１の説明図である。トップケース３１は、スライダ２０上に配置され、かつ、固定手段を介してベース１２に一体に取り付け固定される（図１参照）。
【００６２】
上記固定手段については、トップケース３１の下面に係合爪３２を突出形成し、その係合爪３２をベース１２上面中央のボス部１７（図４参照）の内側および同ベース１２中央の穴１８（図４参照）からベース１２下面に突出させるとともに、この突出した当該係合爪３２がベース１２中央の穴１８の縁部に引っ掛かることで、トップケース３１はベース１２の上面上方、具体的にはベース１２上面中央のボス部１７上にワンタッチで取り付け固定される構造を採用している。
【００６３】
図１７は図１の複合スイッチを上方から見たときの説明図である。トップケース３１の外周には、その４箇所に切り欠き３３（図１６参照）が設けられている。この４つの切り欠き３３は、スライダ２０の４つの突起片、すなわち上突起片２３−１、下突起片２３−３、右突起片２３−２、左突起片２３−４に一つずつ対応して設けられたものであり、各切り欠き３３の内側には、上記各突起片２３−１〜２３−４が一つずつ配置される。さらに、トップケース３１の上面には、４つのバネ部３４−１〜３４−４が取り付けられている。
【００６４】
これら４つのバネ部３４−１〜３４−４のうち、図１６上、上方向に位置するバネ部３４−１は、スライダ２０の上突起片２３−１をその内側から常時上方向へ付勢し、下方向に位置するバネ部３４−３は、スライダ２０の下突起片２３−３をその内側から常時下方へ付勢するように構成されている。図１６上、右方向に位置するバネ部３４−２は、スライダ２０の右突起片２３−２をその内側から常時左方向へ付勢し、左方向に位置するバネ部３４−４は、スライダ２０の右突起片２３−２をその内側から常時右方向へ付勢するように構成されている。
【００６５】
そして、これら４つのバネ部３４−１〜３４−４のバネ力バランスで、スライダ２０とその下面に取り付けられている金属ブラシ２５は、通常、いずれもベース１２の中央に位置するものとなる。このときの当該金属ブラシ２５のブラシ接点部２６−１〜２６−４とベース１２の固定接点部１５−１〜１５−６との接触状態を示したものが、前述した図１２である。
【００６６】
また、図１６に示したように、上記トップケース３１にもその中央に穴３５が設けられている。
【００６７】
以上のように、図１の複合スイッチＳを構成する多方向スライドスイッチＳ１は、図１８にも示したように、ベース１２の上面上方にトップケース３１が配置され、トップケース３１とベース１２との間にはスライダ２０が配置され、スライダ２０とベース１２との間には格子状ガイド部品１９および縦溝２１、横溝１６からなるガイド手段が設けられる構造となっている。そして更に、スライダ２０の下面には金属ブラシ２５が一体に装着され、この金属ブラシ２５はベース１２上面の固定接点パターン１５（ベース固定接点部１５−１〜１５−６）と対向するとともに、上記スライダ２０と一体に多方向へ移動するように構成されている。
【００６８】
ところで、図１の複合スイッチＳを構成する多方向スライドスイッチＳ１には、その中央に貫通部３６が設けられている。この貫通部３６は、図１６に示したように、ベース１２、トップケース３１、スライダ２０、金属ブラシ２５および上記ガイド手段を、その上下方向に一直線に貫通するものである。この貫通部３６は、具体的には、（１）トップケース３１中央の穴３５、（２）スライダ２０中央の穴２２、（３）金属ブラシ２５の支持枠２７中央空間、（４）ガイド手段を構成する格子状ガイド部品１９の格子中央空間、（５）ベース１２中央の穴１８とボス部１７の内側空間が、上下左右方向に重なり合って形成されたものである。
【００６９】
図１の複合スイッチＳは、また同図のように、上記構造の多方向スライドスイッチＳ１の操作部（操作つまみ部２４）と、この多方向スライドスイッチＳ１とは別に作動する他のスイッチの操作部とを、複合スイッチベース１上に多層に配置した複合構造を採っている。
【００７０】
上記スイッチの操作部には、（１）上ジョグスイッチＳ２の操作部として多方向スライドスイッチＳ１の上方に配置される上ジョグダイヤル３８、（２）下ジョグスイッチＳ３の操作部として多方向スライドスイッチＳ１の下方に配置される下ジョグダイヤル３９、および（３）プッシュスイッチＳ４の操作部として多方向スライドスイッチＳ１の上方に配置されるプッシュボタン４０が含まれる。
【００７１】
上ジョグダイヤル３８は、トップケース３１より大径のリング状に形成され、かつ、そのリングの内側にトップケース３１の上端部を収容する形状となっている。また、上ジョグダイヤル３８は、これに一体成形された筒状の軸（以下「上ジョグ軸４１」という）を有している。上ジョグ軸４１は、多方向スライドスイッチＳ１の貫通部３６に挿入されている。そして、上ジョグ軸４１の上端は上ジョグダイヤル３８の下面中央に一体に固着され、上ジョグ軸４１の下端は複合スイッチベース１上に回転可能に配置される。このような上ジョグ軸４１の軸構成により、上ジョグダイヤル３８は、上ジョグ軸４１を介して複合スイッチベース１上に設置されるとともに、上ジョグ軸４１を介して回転可能に支持されている。
【００７２】
上ジョグ軸４１の下端には上ジョグ回動板４２が取り付けられる。この上ジョグ回動板４２は複合スイッチベース１上に回転可能に直接設置されている。上ジョグ軸４１下端への上ジョグ回動板４２の取り付け構造として、本実施形態では、図１に示したように、上ジョグ回動板４２の中央に筒状のボス部４３を設けるとともに、この筒状のボス部４３が上ジョグ軸４１の下端内面に挿入されて嵌合するという構造を採っている。従って、上ジョグ回動板４２は上ジョグ軸４１の下端に連結された状態となって、上ジョグ軸４１と一体に回転する。また、上ジョグ回動板４２のボス部４３は、複合スイッチベース１上の内側支持筒３の外周に回転可能に挿入装着されている。この挿入装着構造により、上ジョグ回動板４２、上ジョグ軸４１および上ジョグダイヤル３８は、内側支持筒３を回転中心として、安定に回転することができる。
【００７３】
上ジョグ回動板４２の下面には上ジョグ回動接点４４（図３参照）が取り付けられている。上ジョグ回動接点４４は、複合スイッチベース１の上ジョグ固定接点５と対向し接触可能な位置に設けられている。上ジョグスイッチＳ２の接点部（上ジョグ接点部）は、上ジョグ回動板４２と複合スイッチベース１との間に位置する、上記のような上ジョグ回動接点４４と上ジョグ固定接点５とにより構成されている。
【００７４】
下ジョグダイヤル３９は、複合スイッチベース１の外側支持筒２より大径のリング状に形成されるとともに、そのリングの内側に該外側支持筒２の外周約上半分を収容する形状となっている。また、下ジョグダイヤル３９は、これに一体成形された軸（以下「下ジョグ軸４５」という）を有している。下ジョグ軸４５は、複合スイッチベース１の外側支持筒２より大径の筒状に形成され、かつ、その筒の内側に上記外側支持筒２を含むベース１２の固定手段全体を収容する形状となっている。そして、下ジョグ軸４５の上端は下ジョグダイヤル３９の下面中央に固着され、下ジョグ軸４５の下端は複合スイッチベース１上に回転可能に配置されている。このような下ジョグ軸４５の軸構成により、下ジョグダイヤル３９は、下ジョグ軸４５を介して複合スイッチベース１上に設置されるとともに、下ジョグ軸４５を介して回転可能に支持されている。
【００７５】
下ジョグ軸４５の下端には下ジョグ回動板４６が取り付けられている。下ジョグ回動板４６は複合スイッチベース１上に回転可能に直接設置されている。下ジョグ軸４５下端への下ジョグ回動板４６の取り付け構造として、本実施形態では、下ジョグ回動板４６の中央に筒状のボス部４７を設けるとともに、該ボス部４７が下ジョグ軸４５の下端内面に挿入されて嵌合するという構造を採用している。従って、下ジョグ回動板４６は、下ジョグ軸４５の下端に連結された状態となって、その下ジョグ軸４５と一体に回転する。また、下ジョグ回動板４６のボス部４７は、上記複合スイッチベース１の外側支持筒２の外周に回転可能に装着されている。このような装着構造の採用により、下ジョグ回動板４６、下ジョグ軸４５および下ジョグダイヤル３９は、外側支持筒２を回転中心として、安定に回転することができる。
【００７６】
下ジョグ回動板４６の下面には下ジョグ回動接点４８が取り付けられている。下ジョグ回動接点４８は、上記複合スイッチベース１の下ジョグ固定接点７と対向し接触可能な位置に設けられている。下ジョグスイッチＳ３の接点部（上ジョグ接点部）は、この下ジョグ回動板４６と複合スイッチベース１との間に位置する、上記のような下ジョグ回動接点４８と下ジョグ固定接点７とにより構成されている。
【００７７】
上ジョグダイヤル３８の上面には中央に凹部（以下「上ジョグ凹部４９」という）が設けられている。そして、この上ジョグ凹部４９の底面には、穴（以下「上ジョグ穴」という。符号省略）と、ボス部（以下「上ジョグボス部５０」という）が設けられている。上記のような上ジョグ穴は凹部４９底面の中央に開設され、かつ、上ジョグ軸４１の内側に連通している。また、上ジョグボス部５０は上記のような上ジョグ穴を囲む筒の形状に形成されている。そして、本実施形態においては、上ジョグ凹部４９内に、上記プッシュボタン４０が配置される構造を採っている。
【００７８】
プッシュボタン４０は、これに一体成形された軸（以下「プッシュ軸５１」という）を有している。プッシュ軸５１は、上ジョグボス部５０の内側と上ジョグ穴を通して、上ジョグ軸４１の内側に上下にスライド可能に挿入されている。そして、プッシュ軸５１の上端はプッシュボタン４０の下面中央に固着されている。一方、プッシュ軸５１の下端は、プッシュ可動接点９を介して、複合スイッチベース１上に配置されている。このようなプッシュ軸５１の軸構成により、プッシュボタン４０は、プッシュ軸５１を介して複合スイッチベース１上に設置されるとともに、プッシュ軸５１を介してプッシュ可能に支持されている。
【００７９】
上記プッシュボタン４０を押下すると、その押下力でプッシュボタン４０が沈み、これに伴いプッシュ軸５１が下方にスライドする。これにより、プッシュ軸５１の下端でプッシュ可動接点９が押されて下方に弾性変形する。そうすると、そのプッシュ可動接点９の弾性変形した中央部がプッシュ中央固定接点１０に当接する。これにより、プッシュ可動接点９を介してプッシュ周辺固定接点１１とプッシュ中央固定接点１０とが導通する。
【００８０】
上記プッシュボタン４０の押下力がなくなると、それまで変形していたプッシュ可動接点９は弾性復帰する。これにより、プッシュ可動接点９がプッシュ中央固定接点１０から離れることで、プッシュ周辺固定接点１１とプッシュ中央固定接点１０との導通状態は解除される。また、その弾性復帰力により、プッシュ軸５１が上方に押し上げられてスライドし、これにより、プッシュボタン４０が押下前の元の位置に浮き上がる。
【００８１】
上記実施形態においては、多方向スライドスイッチＳ１の上方に、上ジョグスイッチＳ２の操作部である上ジョグダイヤル３８や、プッシュスイッチＳ４の操作部であるプッシュボタン４０を配置した例について説明したが、その上ジョグダイヤル３８やプッシュボタン４０に代えて、掌載置台（図示省略）を設けてもよい。この掌載置台は、多方向スライドスイッチＳ１の操作部である操作つまみ部２４や、下ジョグスイッチＳ３の操作部である下ジョグダイヤル３９を操作する際に、掌を置く台として用いられる。この場合、上記掌載置台の下面には軸が設けられ、その軸の上端は掌載置台の下面に一体に固定されるとともに、その軸の下端は複合スイッチベース１の上面に固定されるものとする。
【００８２】
上記実施形態においては、８つの異なる導通状態が得られる多方向スライドスイッチＳ１を採用した例について説明したが、これに限定されることはない。かかる多方向スライドスイッチＳ１については、そのブラシ接点部の数やその配置位置並びにベース固定接点部の数やその形状、配置位置等を適宜変更することにより、８つ以上の異なる導通状態を得るように構成してもよい。
【００８３】
以上説明した実施形態の複合スイッチＳとそのスイッチ複合構造によると、多方向スライドスイッチＳ１に、そのベース１２、トップケース３１、スライダ２０、ガイド手段（符号省略）、金属ブラシ２５を上下方向に貫通する貫通部３６が設けられ、この貫通部３６を利用して、その多方向スライドスイッチＳ１の上方に、他のスイッチの操作部、具体的には上ジョグスイッチＳ２の上ジョグダイヤル３８やプッシュスイッチＳ４のプッシュボタン４０が配置される構造を採用した。このため、多方向スライドスイッチＳ１を中心として、その多方向スライドスイッチＳ１とは別に作動する他のスイッチ（Ｓ２、Ｓ４）の操作部（３８、４０）を立体的に一箇所に集約することができるから、スイッチ設置パネル面、例えば車輌のダッシュボード前面に平面的に配置されるスイッチ操作部の数を減らすことができ、スイッチ操作性の向上と、ダッシュボード前面のようなスイッチ設置パネル面のシンプル化を図る作用効果がある。
【図面の簡単な説明】
【００８４】
【図１】図１は、本発明の一実施形態であるスイッチ複合構造と複合スイッチの説明用断面図である。
【図２】図２は、図１の複合スイッチで用いられている複合スイッチベースの断面図である。
【図３】図３は、図２の複合スイッチベースに設けられている下ジョグ固定接点の説明図である。
【図４】図４は、図１の複合スイッチを構成する多方向スライドスイッチのベースの説明図であり、（ａ）はベースの正面図、（ｂ）はベースの平面図、（ｃ）はベースの側面図、（ｄ）はベースの裏面図、（ｅ）は（ａ）のＥ−Ｅ線でのベース断面図、（ｆ）は（ａ）のＦ−Ｆ線でのベース断面図である。
【図５】図５は、図４のベースに設けられている固定接点パターンの説明図である。
【図６】図６は、図１に示す複合スイッチの多方向スライドスイッチを構成するガイド部品の説明図であり、（ａ）はガイド部品の正面図、（ｂ）はガイド部品の平面図、（ｃ）はガイド部品の側面図、（ｄ）はガイド部品の裏面図である。
【図７】図７は、ベース上面上方から見たときの、ベースとガイドの位置関係の説明図である。
【図８】図８は、図１に示す複合スイッチを構成する多方向スライドスイッチのスライダの説明図であり、（ａ）はスライダの正面図、（ｂ）はスライダの平面図、（ｃ）は（ａ）のＣ−Ｃ線でのスライダ断面図、（ｄ）は（ａ）のＤ−Ｄ線でのスライダ断面図、（ｆ）はスライダ裏面の凹凸状態の説明図である。
【図９】図９は、図１に示す複合スイッチの多方向スライドスイッチを構成する金属ブラシの説明図であり、（ａ）は金属ブラシの裏面図、（ｂ）は金属ブラシの側面図である。
【図１０】図１０は、スライダの下面下方からみたときの、スライダとブラシの位置関係の説明図である。
【図１１】図１１は、スライダの下面下方からみたときの、スライダとブラシとガイド部品の位置関係の説明図である。
【図１２】図１２は、スライダがベース中央に位置しているときの、ブラシ接点部とベース固定接点部との接触状態の説明図である。
【図１３】図１３は、スライダが縦方向（矢印イ方向）へ移動したときの、ブラシ接点部とベース固定接点部との接触パターンの説明図である。
【図１４】図１４は、スライダが横方向（矢印ハ方向）へ移動したときの、ブラシ接点部とベース固定接点部との接触パターンの説明図である。
【図１５】図１５は、スライダが斜め方向（矢印ホ方向）へ移動したときの、ブラシ接点部とベース固定接点部との接触パターンの説明図である。
【図１６】図１６は、図１に示す複合スイッチの多方向スライドスイッチを構成するトップケースの説明図であり、（ａ）はトップケースの正面図、（ｂ）はトップケースの平面図、（ｃ）は（ａ）のＣ−Ｃ線断面図、（ｄ）はトップケースの側面図、（ｅ）はトップケースの裏面図である。
【図１７】図１７は図１の複合スイッチを上方から見たときの説明図である。
【図１８】図１８は、図１に示す複合スイッチに有する貫通部の説明図である。
【符号の説明】
【００８５】
１  複合スイッチベース
２  外側支持筒
３  内側支持筒
４  上ジョグ接点部
５  上ジョグ固定接点
６  下ジョグ接点部
７  下ジョグ固定接点
８  プッシュ接点部
９  プッシュ可動接点
１０  プッシュ中央固定接点
１１  プッシュ周辺固定接点
１２  ベース
１３  係合爪
１４  係合凹部
１５  固定接点パターン
１５−１〜１５−６  ベース固定接点部
１６  横溝
１７  ベース中央のボス部
１８  ベース中央の穴
１９  格子状ガイド部品
１９−１  縦バー
１９−２  横バー
２０  スライダ
２１  縦溝
２２  スライダ中央の穴
２３−１〜２３−４  突起片
２４  操作つまみ部
２５  金属ブラシ
２６−１〜２６−４  ブラシ接点部
２７  支持枠
２８  ピン
２９  ピン挿入穴
３０  枠収容溝
３１  トップケース
３２  係合爪
３３  切り欠き
３４−１〜３４−４  バネ部
３５  トップケース中央の穴
３６  貫通部
３８  上ジョグダイヤル
３９  下ジョグダイヤル
４０  プッシュボタン
４１  上ジョグ軸
４２  上ジョグ回動板
４３  上ジョグ回動板のボス部
４４  上ジョグ可動接点
４５  下ジョグ軸
４６  下ジョグ回動板
４７  下ジョグ回動板のボス部
４８  下ジョグ可動接点
４９  上ジョグ凹部
５０  上ジョグボス部
５１  プッシュ軸
Ｓ  複合スイッチ
Ｓ１  多方向スライドスイッチ
Ｓ２  上ジョグスイッチ
Ｓ３  下ジョグスイッチ
Ｓ４  プッシュスイッチ
【図１】
2006172802.tif 000003
【図２】
2006172802.tif 000004
【図３】
2006172802.tif 000005
【図４】
2006172802.tif 000006
【図５】
2006172802.tif 000007
【図６】
2006172802.tif 000008
【図７】
2006172802.tif 000009
【図８】
2006172802.tif 000010
【図９】
2006172802.tif 000011
【図１０】
2006172802.tif 000012
【図１１】
2006172802.tif 000013
【図１２】
2006172802.tif 000014
【図１３】
2006172802.tif 000015
【図１４】
2006172802.tif 000016
【図１５】
2006172802.tif 000017
【図１６】
2006172802.tif 000018
【図１７】
2006172802.tif 000019
【図１８】
2006172802.tif 000020